(57)【要約】【課題】本発明は、シールド体に設けられた輪状ステータ体に対して、外部磁束の侵入が発生しないようにすることである。【解決手段】本発明によるレゾルバステータ構造は、輪状ステータ体(23)とシールド体(24)との間に突起(40A又は40B)からなる隙間形成部(40)を介して隙間(41)が形成されていることにより、外部からの磁束の侵入がシールド体(24)と隙間(41)によって防止される構成である。【選択図】図１
2014124012.tif 000002
【特許請求の範囲】
【請求項１】
所定角度間隔で内方へ突出する複数の突出磁極(30)を有する輪状ステータ体(23)と、前記各突出磁極(30)に巻回されたステータ巻線(31)と、前記輪状ステータ体(23)の外周面(23a)の外側に位置し全体形状がカップ形をなすシールド体(24)と、前記シールド体(24)の内周面(24a)と、前記輪状ステータ体(23)の外周面(23a)との間に設けられた隙間形成部(40)と、よりなり、
前記輪状ステータ体(23)の外周面(23a)と前記シールド体(24)の筒状部(24A)の内周面(24a)との間には、前記隙間形成部(40)を介して隙間(41)が形成され、前記隙間(41)により前記輪状ステータ体(23)に対する外部からの磁束の侵入を防止するように構成したことを特徴とするレゾルバステータ構造。
【請求項２】
前記隙間形成部(40)は、前記輪状ステータ体(23)の外周面(23a)に形成された複数の第１突起(40A)よりなることを特徴とする請求項１記載のレゾルバステータ構造。
【請求項３】
前記隙間形成部(40)は、前記シールド体(24)の筒状部(24A)の内周面(24a)に形成された複数の第２突起(40B)よりなることを特徴とする請求項１記載のレゾルバステータ構造。
【発明の詳細な説明】
【技術分野】
【０００１】
本発明は、レゾルバステータ構造に関し、特に、輪状ステータ体の外周面とシールド体の内周面との間に隙間を形成し、輪状ステータ体に対する外部からの磁束の侵入を防止するための新規な改良に関する。
【背景技術】
【０００２】
従来、用いられていたこの種のレゾルバステータ構造としては、例えば、特許文献１に開示された構成を図５及び図６に示し、特許文献２に開示された構成を図７及び図８に示すことができる。
すなわち、図５及び図６に示されるレゾルバ付モータの場合、モータ１の凹状のケース４内には、モータ巻線６を有するモータステータ２が設けられ、このモータステータ２の内側には一対の軸受１４ａ，１４ｂを介して回転自在なモータ軸１３に設けられたロータ３が内設され、このモータ軸１３の近傍位置にはレゾルバ２１用のレゾルバロータ２２が設けられている。
【０００３】
前記ケース４の開孔４ａを塞ぐと共に前記軸受１４ｂを有する蓋体８の下面８ａには、全体形状がカップ型をなす第１シールド部材３１が設けられ、この第１シールド部材３１の内側には、この第１シールド部材３１とほぼ同様の形状をなすと共に小型に形成された第２シールド部材２４が前記下面８ａに取付けられている。
前記第２シールド部材２４の内面には、前記レゾルバロータ２２に対応してレゾルバステータ２３が設けられている。
【０００４】
前記第１、第２シールド部材３１,２４間には、空隙３６が形成されていると共に、前記第１シールド部材３１の角部３１ａが前記モータ巻線６の近傍に位置している。
従って、前記モータ巻線６からの漏れ磁束６ａは、前記各シールド部材３１，２４及び空隙３６によって遮蔽され、前記レゾルバステータ２３側への前記漏れ磁束の侵入は防止される。
【０００５】
また、図７及び図８で示す特許文献２の構成においては、前述の図５及び図６と同一又は同等部分については、同付符号を付して説明する。
図７及び図８において、輪状ステータ体２３の外周面２３ａが、全体形状がカップ型をなすシールド体２４の内周面２４ａに嵌入されている。
前記輪状ステータ体２３の内周壁２３ｂには、所定角度間隔でかつ内方へ向けて突出する複数の突出磁極３０が形成され、各突出磁極３０にはステータ巻線３１が巻回されている。
前記輪状ステータ体２３の各突出磁極３０の内側には、ロータ２２が偏心もしくは非真円状の形状で構成されて回転自在に配設されている。
【先行技術文献】
【特許文献】
【０００６】
【特許文献１】特開２０１０−１１５０２２号公報
【特許文献２】ＵＳＰ−６，８３８，８０４Ｂ２明細書
【発明の概要】
【発明が解決しようとする課題】
【０００７】
従来のレゾルバステータ構造は、以上のように構成されていたため、次のような課題が存在していた。
すなわち、図５及び図６で示す第１従来例の場合、輪状ステータ体２３の外側に、空隙３６を挟んで二重のシールド部材２４,３１を設ける必要があるため、レゾルバ全体の形状が大形化することになり、モータの形状も大型化し、小型化に対する要求に応じることは不能であった。
【０００８】
また、図７及び図８で示す第２従来例の場合、輪状ステータ体２３の外周面２３ａがシールド体２４の内周面２４ａに、直接、接しているため、外部のモータ等からの漏れ磁束はシールド体２４を貫通して輪状ステータ体２３内に侵入するため、このシールド体２４の漏れ磁束の侵入防止効果はあまり得られなかった。
【０００９】
本発明は、以上のような課題を解決するためになされたもので、特に、輪状ステータ体の外周面とシールド体の内周面との間に、隙間形成部を介して隙間を形成することにより、外部からの磁束の侵入を防止することである。
【課題を解決するための手段】
【００１０】
本発明によるレゾルバステータ構造は、所定角度間隔で内方へ突出する複数の突出磁極を有する輪状ステータ体と、前記各突出磁極に巻回されたステータ巻線と、前記輪状ステータ体の外周面の外側に位置し全体形状がカップ形をなすシールド体と、前記シールド体の内周面と、前記輪状ステータ体の外周面との間に設けられた隙間形成部と、よりなり、前記輪状ステータ体の外周面と前記シールド体の筒状部の内周面との間には、前記隙間形成部を介して隙間が形成され、前記隙間により前記輪状ステータ体に対する外部からの磁束の侵入を防止するようにした構成であり、また、前記隙間形成部は、前記輪状ステータ体の外周面に形成された複数の第１突起よりなる構成であり、また、前記隙間形成部は、前記シールド体の筒状部の内周面に形成された複数の第２突起よりなる構成である。
【発明の効果】
【００１１】
本発明によるレゾルバステータ構造は、以上のように構成されているため、次のような効果を得ることができる。
すなわち、所定角度間隔で内方へ突出する複数の突出磁極を有する輪状ステータ体と、前記各突出磁極に巻回されたステータ巻線と、前記輪状ステータ体の外周面の外側に位置し全体形状がカップ形をなすシールド体と、前記シールド体の内周面と、前記輪状ステータ体の外周面との間に設けられた隙間形成部と、よりなり、前記輪状ステータ体の外周面と前記シールド体の筒状部の内周面との間には、前記隙間形成部を介して隙間が形成され、前記隙間により前記輪状ステータ体に対する外部からの磁束の侵入を防止するように構成したことにより、外部磁束からの影響を低減しつつ、且つ、シールド体を輪状ステータ体に強固に固定することができる。
また、前記隙間形成部は、前記輪状ステータ体の外周面に形成された複数の第１突起よりなることにより、簡単に且つ確実に隙間を形成することができる。
また、前記隙間形成部は、前記シールド体の筒状部の内周面に形成された複数の第２突起よりなることにより、簡単に且つ確実に隙間を形成することができる。
【図面の簡単な説明】
【００１２】
【図１】本発明によるレゾルバステータ構造を示す平面図である。
【図２】図１の縦断面図である。
【図３】図１の他の形態を示す平面図である。
【図４】図３の縦断面図である。
【図５】従来のモータ付レゾルバ構造を示す断面図である。
【図６】図５の要部を示す拡大図である。
【図７】従来のレゾルバステータ構造を示す平面図である。
【図８】図７の縦断面図である。
【発明を実施するための形態】
【００１３】
本発明は、輪状ステータ体の外周面とシールド体の内周面との間に隙間を形成し、輪状ステータ体に対する外部からの磁束の侵入を防止するようにしたレゾルバステータ構造を提供することを目的とする。
【実施例】
【００１４】
以下、図面と共に本発明によるレゾルバステータ構造の好適な実施の形態について説明する。
尚、従来例と同一又は同等部分には、同一符号を用いて説明する。
図１及び図２において、符号２３で示されるものは輪状ステータ体であり、この輪状ステータ体２３の内周壁２３aには、所定の角度間隔で内方へ突出する複数の突出磁極３０が設けられ、各突出磁極３０には、周知の励磁巻線と出力巻線とからなるステータ巻線３１が巻回されている。
【００１５】
前記輪状ステータ体２３の外周面２３aには、この外周面２３aと一体に形成された第１突起４０Ａからなる隙間形成部４０が形成され、前記輪状ステータ体２３の外側には前記隙間形成部４０の外面４０ａに接する状態でシールド体２４が圧入で設けられている。
前記シールド体２４は、外部からの磁束が通過しにくい材質で形成されていると共に、全体形状がほぼカップ型をなすように形成されている。
前記シールド体２４の筒状部２４Ａの内周面２４ａは前記隙間形成部４０の外面４０ａと当接し、前記輪状ステータ体２３の外周面２３ａと前記シールド体２４の筒状部２４Ａの内周面２４ａとの間には、平面でみて弧状をなす複数の隙間４１が形成されている。
【００１６】
前記各突出磁極３０の内側には、巻線を有しないロータ２２が回転自在に配設され、このロータ２２が偏心又は非真円状に形成されていることにより、前記輪状ステータ体２３と前記ロータ２２によって周知の可変リラクタンス型のレゾルバを構成している。
従って、前述の図１及び図２の構成におけるレゾルバステータ構造において、図示しないモータ等の巻線から漏洩する外部磁束は、前記シールド体２４と隙間４１による磁気シールド作用によって、前記輪状ステータ体２３に対する外部磁束の侵入は効果的に防止される。
【００１７】
前述の図１及び図２におけるレゾルバステータ構造においては、前記隙間形成部４０が前記輪状ステータ体２３の外周面２３ａに一体に形成された場合について述べたが、図３及び図４で示す他の形態のように、前記隙間形成部４０を前記シールド体２４の内周面２４ａに形成した場合も同様の効果を得ることができる。
すなわち、図３及び図４で示されるように、前記シールド体２４の内周面２４ａには、所定角度間隔で複数の隙間形成部４０が一体に形成され、各隙間形成部４０の内面４０ｂが前記輪状ステータ体２３の外周面２３ａに当接することにより、平面でみて複数の隙間４１が形成されている。
尚、他の構成については、前述の図１及び図２と同一であるため、同一部分には同一符号を付し、その説明は省略する。
【産業上の利用可能性】
【００１８】
本発明によるレゾルバステータ構造は、輪状ステータ体とシールド体との間に隙間形成部を介して隙間が形成されていることにより、外部磁束の内部への侵入を防止し、検出精度の向上を得ることができる。
【符号の説明】
【００１９】
２２    ロータ
２３    輪状ステータ体
２３ａ    外周面
２４    シールド体
２４ａ    内周面
２４Ａ    筒状部
３０    突出磁極
３１    ステータ巻線
４０    隙間形成部
４０Ａ    第１突起
４０Ｂ    第２突起
４０ａ    外面
４０ｂ    内面
４１    隙間
【図１】
2014124012.tif 000003
【図２】
2014124012.tif 000004
【図３】
2014124012.tif 000005
【図４】
2014124012.tif 000006
【図５】
2014124012.tif 000007
【図６】
2014124012.tif 000008
【図７】
2014124012.tif 000009
【図８】
2014124012.tif 000010